(57)【特許請求の範囲】
【請求項１】
圧延ロールで圧延された圧延材であって、上記圧延ロールで圧下されない上記圧延材の自由面に、識別情報表示用ローラーの印字部を押圧して、上記自由面に鋼種とサイズを示す識別情報である識別文字を印字表記することを特徴とする圧延材の識別情報表示方法。
【請求項２】
圧延材は対の識別情報表示用ローラーの間で識別文字の印字表記が行われることを特徴とする請求項１記載の圧延材の識別情報表示方法。
【請求項３】
印字の対象となる圧延材は仕上げ圧延ロールで圧延されたものであることを特徴とする請求項１又は請求項２記載の圧延材の識別情報表示方法。
【請求項４】
印字の対象となる圧延材はネジ鉄筋であることを特徴とする請求項１乃至請求項３のいずれかに記載の圧延材の識別情報表示方法。
【請求項５】
印字部により印字される識別文字は凹文字又は凸文字のいずれか一方であることを特徴とする請求項１乃至請求項４のいずれかに記載の圧延材の識別情報表示方法。
【請求項６】
ローラーホルダーと、対の識別情報表示用ローラーと、各識別情報表示用ローラーを上記ローラーホルダーに回転可能に支持するローラーピンとを備えており、
上記対の識別情報表示用ローラーの少なくも一方には、圧延ロールで圧延された圧延材であってかつ圧下されない自由面に、識別情報である識別文字を印字するための印字部を設けてあり、
上記印字部は両識別情報表示用ローラー間を通過する上記圧延ロールの上記自由面に鋼種とサイズを示す識別文字を印字表記することを特徴とする圧延材の識別情報表示装置。
【請求項７】
ローラーピンはエキセンローラーピンであり、ピン操作によって対の識別情報表示用ローラーの間隔が調整可能であることを特徴とする請求項６記載の圧延材の識別情報表示装置。
【請求項８】
ローラーホルダーは圧延材の誘導ガイド装置のローラーホルダーを兼用しており、このローラーホルダー内には対の識別情報表示用ローラーに隣接して前段側に対のガイドローラーをローラーピンを介して軸支してあることを特徴とする請求項６又は請求項７記載の圧延材の識別情報表示装置。
【請求項９】
対の識別情報表示用ローラーは、仕上げ圧延ロールの出口側に配置されていることを特徴とする請求項６乃至請求項８のいずれかに記載の圧延材の識別情報表示装置。
【請求項１０】
識別情報表示用ローラーにおける印字部の印字用文字は凹状又は凸状のいずれか一方であることを特徴とする請求項６乃至請求項９のいずれかに記載の圧延材の識別情報表示装置。
【請求項１１】
識別情報表示用ローラーにおける印字部の印字用文字によって圧延材に表示される文字は凸文字であることを特徴とする請求項６乃至請求項９のいずれかに記載の圧延材の識別情報表示装置。
【請求項１２】
識別情報表示用ローラーにおける印字部の印字用文字は活字体で構成されており、上記活字体は上記識別情報表示用ローラーに形成してある収納溝に離脱可能に収納されていることを特徴とする請求項６乃至請求項１１のいずれかに記載の圧延材の識別情報表示装置。
【請求項１３】
圧延材は、ネジ鉄筋及び異形棒鋼から選択されることを特徴とする請求項６乃至請求項１２のいずれかに記載の圧延材の識別情報表示装置。
【発明の詳細な説明】
【技術分野】
【０００１】
本発明は、圧延材の鋼種やサイズを示す識別情報を圧延材に表示する方法及び表示装置に関する。
【背景技術】
【０００２】
建設業者が建築工事や土木工事等に使用するねじ節鉄筋を含む異形棒鋼は、ＪＩＳ規格に基づいて各製鉄所で生産されている。
異なる鋼種とサイズの異形棒鋼を識別する方法として、異形棒鋼の出荷時に数本から数十本毎にまとめて結束し、この結束した束全体に対して１個又は２個の荷札を取り付けて、この荷札に異形棒鋼の鋼種とサイズを表記することにより異形棒鋼の鋼種とサイズを識別している例が多い。
建設等の業者が異形棒鋼を工事に使用するに際して、上記複数本にまとめてある異形棒鋼の結束を解くと、複数の鋼種とサイズの異形棒鋼が混ざり合う場合があり、また、異なるサイズの異形棒鋼を組み合わせて鉄筋工事を行う場合がある。これらの場合には、鉄筋工が異形棒鋼の鋼種やサイズの選定を目視で行っている。目視は、一本一本の異形棒鋼の鋼種やサイズを迅速に識別することが難しく、混ざり合った異形棒鋼の鋼種やサイズを間違って使用するトラブルを発生させることがある。
この間違いを無くする技術として、特開平６−４７４０２号公報に開示されている異形鉄筋の識別表示方法が提案されている。
この従来技術では、異形鉄筋の棒鋼本体の周面に多数の平行傾斜した節を突設すると共に、軸線方向の異形鉄筋の側面に略平坦部を設け、この略平坦部にＪＩＳ規格に基づいて鉄筋種類（ＳＤ２９５Ｂ〜ＳＤ４９０等）を識別表示するための圧延マークを形成するものである。この圧延マークは、上記略平坦部の表面に丸状突起を設けて異形鉄筋の鋼種を表記して識別可能にしている。そして、上記異形鉄筋は鋼塊から棒状鋼に順次熱間圧延され、上記棒状鋼の側面に圧延マークが圧延ロールによって形成されるのである。また、圧延マークは丸状突起に代わり、数字や記号等を使用する場合がある。
【先行技術文献】
【特許文献】
【０００３】
【特許文献１】特開平６−４７４０２号公報
【発明の概要】
【発明が解決しようとする課題】
【０００４】
上述の従来技術においては、ＪＩＳ−Ｇ３１１２の規格に従って、異形棒鋼の螺合力を低下させることなく鋼種を表示する場合に効果があるが、次の課題があった。
第１に、異形棒鋼の鋼種を異形鉄筋の略平坦部に設けた突起状の圧延マークを通じて識別するものであるが、圧延マークの突起が小さいために鋼種の判別間違いを起こしやすく、この間違いをなくすためには鋼種判別に時間を要すること等の課題があった。
第２に、圧延ロールカリバーに圧延材の鋼種やサイズの識別情報を文字や数字などの記号で表記するには、圧延ロールの全カリバーに識別情報を刻設する必要があるために、刻設のための費用が増加する課題や、ロール加工に要する日数が増加すると、圧延予定に対してロールが不足するからロールを余分に購入して保有ロール数量を増加させなければならないから、その分だけ製造費が高くなる課題があった。
第３に、異形棒鋼の識別情報表示をＪＩＳ表記や文字表記で行う場合には、当該の圧延ロールカリバーに文字を刻設する必要があるから、当該圧延ロールカリバーでは同一サイズであっても鋼種の異なる異形棒鋼を圧延することが出来なくなる課題があった。このような鋼種変更では、新たな鋼種に合わせて圧延ロールカリバーを変更する作業又は新たな鋼種に合わせた圧延機に交換する作業が必要となり、工場の操業度を低下させる課題があった。
以上の課題を解決するためには、異形棒鋼の鋼種とサイズを容易に識別できるようにする技術と、圧延ロールに依存しない鋼種やサイズの識別表示の技術の開発が求められていた。
本発明の目的は圧延材に設けてある識別情報の識別を容易にすることであり、鋼種とサイズを変更する作業を容易に行えるようにすることである。
【課題を解決するための手段】
【０００５】
本発明の圧延材の識別情報表示方法は、圧延ロール外でネジ鉄筋及び異形棒鋼等の圧延材をこれが圧下されない自由面の一面又は二面に、識別情報表示用ローラーによってその鋼種とサイズを示す識別情報である識別文字として印字表記するものである。当該方法はネジ鉄筋及び異形棒鋼に限られず、丸鋼等の圧延材全般に適用可能である。圧延ロール外はこの圧延ロールの出口側又は入口側であり、また圧延ロールは識別情報の判別を容易にする観点から仕上げ圧延ロールであることが望ましい。識別文字には文字、記号又は図形などが含まれる。識別情報表示用ローラーは、確実な圧延材への印字を可能にするために対であって、識別情報表示用ローラーの間を通過する圧延材に対して印字表記をするのが良い。
本発明の識別情報表示装置は、ローラーホルダーと、対の識別情報表示用ローラーと、各識別情報表示用ローラーを上記ローラーホルダーに回転可能に支持するローラーピンとを備えている。上記対の識別情報表示用ローラーの一方又は双方には、仕上げ圧延ロール又は当該ロールより前段階の圧延ロールで圧延された圧延材であってかつ圧下されない自由面に、識別情報である識別文字を印字するための印字部を設けてある。印字部は複数の凹状又は凸状の印字用文字を備えている。上記印字部は、両識別情報表示用ローラー間を通過する上記圧延ロールの上記自由面に鋼種とサイズを示す識別文字を印字表記するものである。
【発明の効果】
【０００６】
本発明によれば、次の効果が得られる。
第１に、圧延ロールで圧下されない圧延材の自由面に圧延材の鋼種とサイズを示す識別情報である識別文字を表記するので、識別情報の識別が容易になる。
第２に、圧延ロールから分離して、圧延後の圧延材に識別情報を表示するので、圧延材の鋼種とサイズを変更する場合に、圧延ロール交換や圧延ロールカリバー替え等の変更作業を行う必要がなくなるから、工場の操業率を向上させる効果が得られ、また、圧延材の鋼種とサイズの識別情報を圧延ロールカリバーに刻設する必要がないから、圧延ロール改削時の費用削減と納期短縮が図れる効果がある。
【図面の簡単な説明】
【０００７】
【図１】本発明の第１の実施形態に係る圧延材の識別情報表示装置を組み込んである圧延材の誘導ガイド装置を示す正面図である。
【図２】本発明の第１の実施形態に係る圧延材の識別情報表示装置を組み込んである圧延材の誘導ガイド装置を示す拡大平面図である。
【図３】本発明の第１の実施形態に係る圧延材の識別情報表示装置を組み込んである圧延材の誘導ガイド装置を示す拡大側面図である。
【図４】ネジ鉄筋と、印字部を有する対の識別情報表示用ローラーとの関係を示す拡大側面図である。
【図５】一方の識別情報表示用ローラーを図１に示す位置から９０度時計方向に回転させた状態を示す拡大水平断面図である。
【図６】識別情報を表示したネジ鉄筋の主要部を示す拡大正面図である。
【図７】図６に示すネジ鉄筋の側面図である。
【図８】異形棒鋼と、印字部を有する対の識別情報表示用ローラーとの関係を示す拡大側面図である。
【図９】識別情報を表示した異形棒鋼の主要部を示す拡大正面図である。
【図１０】図９に示す異形棒鋼の側面図である。
【図１１】本発明の第２の実施形態に係る圧延材の識別情報表示装置の使用状態を示す正面図である。
【図１２】本発明の第２の実施形態に係る圧延材の識別情報表示装置の使用状態を示す平面図である。
【図１３】図１１に示す圧延材の識別情報表示装置の側面図である。
【図１４】本発明に係る圧延材の識別情報表示装置における印字部の他の形態の主要部を示す拡大平面図である。
【図１５】図１４に示す印字部の正面図である。
【発明を実施するための形態】
【０００８】
本発明に係る圧延材の識別情報表示方法は、図１及び図２に示すように、圧延ロールである仕上げ圧延ロールＲ１によって圧延された圧延材Ｓ１であってかつ圧下されない自由面Ｓ１ａに、対の識別情報表示用ローラー４を用いて抱合しながら上記識別情報表示用ローラーに設けている識別情報表示用の印字部Ｐ１によりその鋼種とサイズを示す識別情報Ｌ１として識別文字で刻印表記する（図６）。
圧延材Ｓ１はネジ鉄筋や異形棒鋼を含むものである。そして、圧延材Ｓ１に対して、仕上げ圧延ロールＲ１の出口側の位置で識別情報Ｌ１を刻印することが望ましいが、入口側で刻印しても良く、また、仕上げ圧延の前段階における圧延ロールの出口側で刻印しても良い。印字部Ｐ１の印字用文字Ｐ１ａは凹状又は凸状に形成され、このために印字用文字によって刻印表記される識別文字Ｌ１は凹文字又は凸文字である。
【０００９】
本発明の第１の実施形態としての圧延材の識別情報表示装置Ｍ１について、これを組み込んである圧延材の誘導ガイド装置Ｇ１と共に、図１〜図７を参照して説明する。
図１〜図３に示す圧延材の誘導ガイド装置Ｇ１は、仕上げ圧延ロールＲ１の出口側に配置されており、上記仕上げ圧延ロールで圧延された圧延材、図示の例ではネジ鉄筋Ｓ１を図右方に誘導するものである。誘導ガイド装置Ｇ１は、内部にローラーホルダー２を設けてあるガイドボックス１を備えている。ローラーホルダー２の前端部（図１左端部）はガイドボックス１の一側部１ａに、また後端部（図１右端部）はガイドボックスの他側部１ｂにそれぞれ軸心を中心として回動可能に軸支されている。ローラーホルダー２内には、ネジ鉄筋Ｓ１を案内するための対のガイドローラー３と、ネジ鉄筋の自由面Ｓ１ａに識別情報Ｌ１を表示するための対の識別情報表示用ローラー４とをネジ鉄筋の進行方向（図１右方向）に沿って隣接状態に配置してある。
図１及び図２に示すように、対のガイドローラー３はエキセンローラーピン５を介してローラーホルダー２に回転自在に軸支されている。エキセンローラーピン５の頂部に螺設してあるウォーム５ａには、ピニオン７がペデスタル８を介して回動可能に歯合している。このため、ピニオン７の回動操作によって、ウォーム５ａ及びエキセンローラーピン５を介して対のガイドローラー３の間隔が調整可能となる。
【００１０】
図１〜図３に示す識別情報表示装置Ｍ１において、対の識別情報表示用ローラー４は、エキセンローラーピン６を介してローラーホルダー２に回転自在に軸支されている。エキセンローラーピン６の頂部に螺設してあるギアホイル６ａには、ピニオン９がペデスタル１０を介して回動可能に歯合している。このため、ピニオン９の回動操作によって、ギアホイル６ａ及びエキセンローラーピン６を介して対の識別情報表示用ローラー４の間隔が調整可能となる。
図４に示す対の識別情報表示用ローラー４において、図示の例では一方（図右方）の識別情報表示用ローラーには、仕上げ圧延ロールＲ１（図１）で圧下されない図６及び図７に示すネジ鉄筋Ｓ１の平坦面となっている自由面Ｓ１ａに、識別情報である識別文字Ｌ１を表示するための識別情報表示用の印字部Ｐ１を設けてある。図５に示すように、印字部Ｐ１は複数の印字用文字Ｐ１ａからなり、図示の例では、凹状の印字用文字で構成されている。このため、印字部Ｐ１によってネジ鉄筋Ｓ１の自由面Ｓ１ａに印字された識別文字Ｌ１は、図５鎖線に示すように凸文字Ｌ１ａとなっている。識別文字Ｌ１は、図６に示すように、ネジ鉄筋Ｓ１の自由面Ｓ１ａにサイズ＝Ｎ２９及び鋼種＝４９０が凸文字Ｌ１ａとして表記されている。
印字部Ｐ１によるネジ鉄筋Ｓ１の自由面Ｓ１ａへの刻印は、識別情報表示用ローラー４が進行するネジ鉄筋を抱合しながら案内する過程で図５矢印方向に回転するから、回転の過程で印字部がネジ鉄筋の自由面に識別文字Ｌ１を印字することになる。
【００１１】
図１に示す圧延材の誘導ガイド装置Ｇ１において、ガイドボックス１の仕上げ圧延ロールＲ１の出口側（図右側）にはデリバリーガイド１１を設け、反対側（右側）には筒状のガイド１２を設けてある。また、図１〜図３に示すように、ガイドボックス１の仕上げ圧延ロールＲ１の出口側にはローラーホルダー２の傾斜角を調整可能にするためのピニオン１３を設けてある。ピニオン１３は、ガイドボックス１の一側部１ａ上に起立してある支持部１ｃに支持されている。また、ピニオン１３はローラーホルダー２に設けてあるウォームギア２ａと歯合している。このため、ローラーホルダー２はピニオン１３の回動操作によって軸心を中心として回動可能になり、その傾斜角を調整することができる。ウォームギア２ａとピニオン１３とは、ローラーホルダー２の傾斜角を調整するための調整機構を構成している。
【００１２】
ネジ鉄筋Ｓ１に識別情報である鋼種とサイズを示す識別文字Ｌ１を表示する方法について、図１〜図２及び図４〜図７を参照して説明する。
予め、ピニオン７及びピニオン９をそれぞれ回動して、対のガイドローラー３の間隔と、対の識別情報表示用ローラー４の間隔とを、仕上げ圧延ロールＲ１で圧下されないネジ鉄筋Ｓ１の自由面Ｓ１ａの両面幅とほぼ同一の間隔になるよう調整しておく。
ネジ鉄筋Ｓ１の誘導の過程では、ガイドローラー３はネジ鉄筋Ｓ１の自由面Ｓ１ａの両面を抱合して、ネジ鉄筋に捻れが発生しないように識別情報表示用ローラー４に向かってネジ鉄筋を誘導し、ネジ鉄筋の鋼種とサイズによる識別情報表示用の印字部Ｐ１を形成してある識別情報表示用ローラー４にネジ鉄筋の二面幅部を当接させると、識別情報表示用ローラーの図５矢印方向の回転に伴って、印字部Ｐ１の凹状の印字用文字Ｐ１ａによって上記ネジ鉄筋の自由面Ｓ１ａに徐々にネジ鉄筋の鋼種とサイズを示す識別文字Ｌ１が凸文字Ｌ１ａとして刻設され、すなわちネジ鉄筋に転写されて表記される。
なお、識別情報表示用ローラー４によってネジ鉄筋Ｓ１の自由面Ｓ１ａに刻設される識別文字Ｌ１は凹文字であっても良い。この場合には、識別情報表示用ローラー４における印字部Ｐ１の印字用文字Ｐ１ａを凸状に形成する。
図４及び図５に示す例では対の識別情報表示用ローラー４の一方にのみ印字部Ｐ１の印字用文字Ｐ１ａを設けてあるが、双方に設けて、ネジ鉄筋Ｓ１の両側の自由面Ｓ１ａにそれぞれ識別文字Ｌ１を印字するようにしても良い。
【００１３】
圧延材の誘導ガイド装置Ｇ１によって誘導する圧延材の対象が異形棒鋼である場合についての識別情報表示方法について、図１〜図２及び図８〜図１０を参照して説明する。
上記識別情報表示方法の使用に際しては、予め、図１及び図２に示す圧延材の誘導ガイド装置Ｇ１における対の識別情報表示用ローラー４を図８に示す対の識別情報表示用ローラー１４に置き換えておく。そして、この状態で、ピニオン７及びピニオン９をそれぞれ回動して、ガイドローラー３の間隔と識別情報表示用ローラー１４の間隔を、仕上げ圧延ロールＲ１で圧下されない異形棒鋼Ｓ２の自由面Ｓ２ａとほぼ同一の間隔になるよう調整しておく。
ガイドローラー３は異形棒鋼Ｓ２の仕上げ圧延ロールＲ１で圧下されない自由面Ｓ２ａを抱合して、異形棒鋼を識別情報表示用ローラー１４に向かって正しく誘導する。すると、図８及び図９に示すように、異形棒鋼の鋼種とサイズを示す識別文字Ｌ２を印字するための印字部Ｐ２を有する識別情報表示用ローラー１４が異形棒鋼の仕上げ圧延ロールで圧下されない自由面に当接すると、この識別情報表示用ローラー１４の上記印字部の凹形状の印字用文字Ｐ２ａによって鋼サイズと鋼種の識別文字Ｌ２が異形棒鋼に凸文字Ｌ２ａとして転写されて表記される。
図８に示すように、識別情報表示用ローラー１４の印字部Ｐ２には圧延材の鋼種とサイズを表記するための印字用文字Ｐ２ａとして、鋼サイズＤ２９と鋼種３４５とを示す凹形状の印字用文字が設けられているから、異形棒鋼が識別情報表示用ローラー１４と当接することにより、図９に示すように異形棒鋼の識別文字Ｌ２であるＤ２９  ３４５を示す凸文字Ｌ２ａが自由面Ｓ２ａに転写され表記される。
識別情報表示用ローラー１４に形成してある印字部Ｐ２の印字用文字Ｐ２ａは、前記図５に示す例のように凹状であっても、また、凸状であっても良い。ただし、異形棒鋼Ｓ２の強度を維持する観点から凹状であることが望ましい。
【００１４】
本発明の第２の実施形態としての圧延材の識別情報表示装置Ｍ１１について、これと併設している圧延材の誘導ガイド装置Ｇ１１と共に、図１１〜図１３を参照して説明する。
圧延材の識別情報表示装置Ｍ１１は、圧延材の誘導ガイド装置Ｇ１１から切り離して、これに隣接して仕上げ圧延ロールＲ２の出口側に配置してある点で、図１に示す圧延材の誘導ガイド装置Ｇ１に組み込んである圧延材の識別情報表示装置Ｍ１とは相違している。
圧延材の識別情報表示装置Ｍ１１の基本構成及びその配置位置は圧延材の識別情報表示装置Ｍ１のそれらと共通しているので、主に相違する部分について説明し、共通する部分については必要に応じて説明する。
【００１５】
図１１〜図１３において、圧延材の識別情報表示装置Ｍ１１はベース１１５上にローラーホルダー１１６を設けてある。対の識別情報表示用ローラー１０４は、エキセンローラーピン１０６を介してローラーホルダー１１６に回転自在に軸支されている。エキセンローラーピン１０６の頂部に螺設してあるギアホイル１０６ａには、ピニオン１０９がペデスタル１１０を介して回動可能に歯合されている。このため、ピニオン１０９の回動操作によって、ギアホイル１０６ａ及びエキセンローラーピン１０６を介して対の識別情報表示用ローラー１０４の間隔が調整可能となる。
図１１及び図１２において、対の識別情報表示用ローラー１０４の一方の識別情報表示用ローラーには、仕上げ圧延ロールＲ２で圧下されない圧延材であるネジ鉄筋Ｓ３の自由面Ｓ３ａに識別情報である識別文字を表示するための識別情報表示用の印字部Ｐ３を設けてある。図１１に示すように、印字部Ｐ３は複数の印字用文字Ｐ３ａからなり、ネジ鉄筋Ｓ３の自由面Ｓ３ａにサイズ＝Ｎ２９及び鋼種＝４９０として表記できるように、凹状の印字用文字で構成されている。
印字部Ｐ３によるネジ鉄筋Ｓ３の自由面Ｓ３ａへの刻印は、識別情報表示用ローラー１０４がネジ鉄筋を抱合しながら案内する過程で回転するから、回転の過程で印字部Ｐ３の印字用文字Ｐ３ａがネジ鉄筋の自由面に識別文字、図１１に示す例では「Ｎ２９  ４９０」を印字することになる。
図１１において、１１７はエントリーガイド、１１８は筒状のガイドである。
【００１６】
圧延材の識別情報表示装置Ｍ１１について図１１及び図１２を参照して説明する。
圧延材の誘導ガイド装置Ｇ１１が圧延材の誘導ガイド装置Ｇ１と実質的に同一である。実質的な相違点は、圧延材の誘導ガイド装置Ｇ１１が圧延材の誘導ガイド装置Ｇ１から対のガイドローラー３を残し、対の識別情報表示用ローラー４を外した構成である。換言すれば、圧延材の誘導ガイド装置Ｇ１１において、ローラーホルダー１０２には対のガイドローラー１０３を設けているが、対の識別情報表示用ローラーを設けていないことである。
圧延材の誘導ガイド装置Ｇ１１におけるガイドボックス１０１、側部１０１ａ，１０１ｂ、支持部１０１ｃ、ローラーホルダー１０２、ウォームギア１０２ａ、対のガイドローラー１０３、エキセンローラーピン１０５、ウォーム１０５ａ、ピニオン１０７、ペデスタル１０８、デリバリーガイド１１１、ガイド１１２及びピニオン１１３は、圧延材の誘導ガイド装置Ｇ１におけるガイドボックス１、側部１ａ，１ｂ、支持部１ｃ、ローラーホルダー２、ウォームギア２ａ、対のガイドローラー３、エキセンローラーピン５、ウォーム５ａ、ピニオン７、ペデスタル８、デリバリーガイド１１、ガイド１２及びピニオン１３にそれぞれ対応している。
【００１７】
圧延材の識別情報表示装置Ｍ１１による圧延材の識別情報表示方法について説明する。
図１１に示すように仕上げ圧延ロールＲ２によって圧延されたネジ鉄筋Ｓ３は、出口側に配置してある誘導ガイド装置Ｇ１１のデリバリーガイド１１１内に侵入し、対のガイドローラー１０３が仕上げ圧延ロールＲ２で圧下されない自由面Ｓ３ａを抱合してガイド１１２側へ案内し、誘導ガイド装置外に誘導される。外部に誘導されたネジ鉄筋Ｓ３は識別情報表示装置Ｍ１１のエントリーガイド１１７内に侵入して、識別情報表示用ローラー１０４に向かって進行し、印字部Ｐ３を有する識別情報表示用ローラーがネジ鉄筋の自由面に当接すると、この識別情報表示用ローラーの上記印字部の凹形状の印字用文字Ｐ３ａによって鋼サイズと鋼種の識別情報が凸状の識別文字としてネジ鉄筋Ｓ３の自由面Ｓ３ａに転写されて表記される。
圧延材Ｓ３の自由面Ｓ３ａに識別文字として、図１１に示す例では「Ｎ２９  ４９０」が印字される。
【００１８】
鋼種変更やサイズ変更を行う場合に、従来は圧延を停止して新たな鋼種やサイズに合わせて圧延機を交換するか、圧延ロールの鋼種マークを変更し、その後に新たな鋼種の圧延を開始する必要があったが、図１に示す本発明の識別情報表示装置Ｍ１にあっては、予めオフラインで新たな鋼種とサイズに合わせて調整済みの識別情報表示装置を組み込込んだ圧延材の誘導ガイド装置と、今まで使用中の識別情報表示装置を組み込んである圧延材の誘導ガイド装置Ｇ１とを交換すれば良い。また、図１１に示す本発明の識別情報表示装置Ｍ１１によれば、予めオフラインで新たな鋼種とサイズに合わせて調整済みの識別情報表示装置を今まで使用中の識別情報表示装置Ｍ１１と交換すれば良い。このような交換によって、圧延の効率を大幅に改善することができる。
また、従来、圧延材（ネジ鉄筋、異形棒鋼等）の鋼種を示す識別情報はＪＩＳが定める丸形状突起の数で表記しており、サイズを示す表記はなかったが、本発明の識別情報表示装置Ｍ１，Ｍ１１によれば、鋼種やサイズが識別情報表示用ローラー４，１４，１０４に設けてある印字部Ｐ１，Ｐ２，Ｐ３を介して識別文字（図６では識別文字Ｌ１、図９では識別文字Ｌ２）として表記されるから、鋼種やサイズの識別が容易になる。
本発明の識別情報表示装置Ｍ１，Ｍ１１によれば、圧延材がネジ鉄筋Ｓ１，Ｓ３の場合にあっては、仕上げ圧延ロールＲ１，Ｒ２で圧下されない自由面Ｓ１ａ，Ｓ３ａが平坦になっており、この平坦部分に文字による識別情報として識別文字を表示するので、ネジ鉄筋のネジ継ぎ手のねじ込みに支障が発生しない。
【００１９】
印字部の他の形態として、図１４及び図１５に示す例では、印字部Ｐ４の印字用文字を活字体Ｐ４ａで構成している。活字体Ｐ４ａは、対の識別情報表示用ローラーの双方又は一方に、図示の例では一方の識別情報表示用ローラー２０４にから上方に離脱可能に収納されている。活字体Ｐ４ａは、識別情報表示用ローラー２０４の外周面から内部に向けてかつ上端面から下方に向けて形成してある収納溝２０４ａに嵌め込んである。収納溝２０４ａは段部２０４ａ１を設けてある。活字体Ｐ４ａの表面は識別情報表示用ローラー２０４の外周面から露出されている。活字体Ｐ４ａには、後部側（図１４上側部）に両側から内方に向けて凹部Ｐ４ａ１を対向して設けてある。活字体Ｐ４ａは、凹部Ｐ４ａ１間に段部２０４ａ１が嵌め込まれているために、収納溝２０４ａの外周面から外方に離脱することが防止される。活字体Ｐ４ａの正面には印字用文字部Ｐ４ａ２を凹状の溝によって形成してある。印字用文字部Ｐ４ａ２は、図示の例では「Ｎ」を示している。
印字部Ｐ４の印字用文字が例えば図４に示すような「Ｎ２９  ４９０」である場合には、「Ｎ」、「２」、「９」、「４」、「９」、「０」をそれぞれ刻設してある印字用文字部Ｐ４ａ２を有する６種類の活字体Ｐ４ａを用意し、各活字体を識別情報表示用ローラー２０４の外周面に沿って形成してある収納溝２０４ａ内に上端面から落とし込む。
各活字体Ｐ４ａの印字用文字部Ｐ４ａ２には「Ｎ」の１文字のみを表示しても良いが、これに限られず、例えば「Ｎ２」の２文字を又は「Ｎ２９」の３文字を表示しておいても良く、その組み合わせ数は適宜である。印字用文字部Ｐ４ａ２を凹状の溝によって形成してあるが、凸状の溝によって形成しても良い。
【００２０】
識別情報表示装置Ｍ１，Ｍ１１による圧延材Ｓ１，Ｓ２，Ｓ３への識別情報の印字は、仕上げ圧延ロールの出口側に限られず、入口側であっても良く、また仕上げ圧延ロールの前段側の圧延ロールの出口側であっても良い。
図示する例では、対の識別情報表示用ローラー４，１４，１０４の一方に印字部Ｐ１，Ｐ２，Ｐ３を設けているが、双方に設けても良い。印字部Ｐ１，Ｐ２，Ｐ３における印字用文字Ｐ１ａ，Ｐ２ａ，Ｐ３ａは、上述のように凹形状又は凸形状である。識別文字（図６では識別文字Ｌ１、図９では識別文字Ｌ２）は文字の他に記号又は図形であっても良い。
【符号の説明】
【００２１】
Ｇ１，Ｇ１１                圧延材の誘導ガイド装置
Ｌ１，Ｌ２                  識別文字（識別情報）
Ｌ１ａ，Ｌ２ａ              凸文字
Ｍ１，Ｍ１１                識別情報表示装置
Ｐ１，Ｐ２，Ｐ３，Ｐ４      印字部
Ｐ１ａ，Ｐ２ａ，Ｐ３ａ      印字用文字
Ｐ４ａ                      活字体（印字用文字）
Ｐ４ａ２                    印字用文字部
Ｒ１，Ｒ２                  仕上げ圧延ロール（圧延ロール）
Ｓ１，Ｓ３                  ネジ鉄筋（圧延材）
Ｓ２                        異形棒鋼（圧延材）
Ｓ１ａ，Ｓ２ａ，Ｓ３ａ      自由面
１                          ガイドボックス
１ａ                        ガイドボックスの一側部
１ｂ                        ガイドボックスの他側部
２                          ローラーホルダー
２ａ                        ウォームギア
３                          ガイドローラー
４                          識別情報表示用ローラー
５                          エキセンローラーピン
６                          エキセンローラーピン
６ａ                        ギアホイル
９                          ピニオン
１０                        ペデスタル
１４                        識別情報表示用ローラー
１１６                      ローラーホルダー
１０４                      識別情報表示用ローラー
１０６                      エキセンローラーピン
１０６ａ                    ギアホイル
１０９                      ピニオン
１１０                      ペデスタル
１１６                      ローラーホルダー
２０４                      識別情報表示用ローラー
２０４ａ                    収納溝
【図１】
0005432875.tif 000002
【図２】
0005432875.tif 000003
【図３】
0005432875.tif 000004
【図４】
0005432875.tif 000005
【図５】
0005432875.tif 000006
【図６】
0005432875.tif 000007
【図７】
0005432875.tif 000008
【図８】
0005432875.tif 000009
【図９】
0005432875.tif 000010
【図１０】
0005432875.tif 000011
【図１１】
0005432875.tif 000012
【図１２】
0005432875.tif 000013
【図１３】
0005432875.tif 000014
【図１４】
0005432875.tif 000015
【図１５】
0005432875.tif 000016